(57)【特許請求の範囲】
【請求項１】
被写体を撮像して画像データを出力する撮像手段と、
画像データを符号化する画像データ符号化手段と、
符号化された画像データをカメラ本体に着脱可能に装着された記憶媒体に記録する手段とを備えたデジタル電子カメラにおいて、
カメラ本体に着脱可能に設けられる特定のデータ通信・処理装置に対応した入出力制御体と、
前記入出力制御体を制御するためのプログラムを実行して前記入出力制御体の制御動作を行う制御手段と、
前記入出力制御体に設けられて、該入出力制御体を制御するためのプログラムを格納する記憶媒体と、
前記入出力制御体を制御するためのプログラムを、前記入出力制御体に設けられた前記記憶媒体から前記制御手段のプログラム格納領域へ転送する手段と、
を備えたことを特徴とするデジタル電子カメラ。
【請求項２】
被写体を撮像して画像データを出力する撮像手段と、
画像データを符号化する画像データ符号化手段と、
符号化された画像データをカメラ本体に着脱可能に装着された記憶媒体に記録する手段と、
音声を電気信号に変換する手段と、
電気信号に変換された音声データを符号化する音声データ符号化手段と、
符号化された音声データを記憶媒体に記録する手段とを備えたデジタル電子カメラにおいて、
カメラ本体に着脱可能に設けられる特定のデータ通信・処理装置に対応した入出力制御体と、
前記入出力制御体を制御するためのプログラムを実行して前記入出力制御体の制御動作を行う制御手段と、
前記入出力制御体に設けられて、該入出力制御体を制御するためのプログラムを格納する記憶媒体と、
前記入出力制御体を制御するためのプログラムを、前記入出力制御体に設けられた前記記憶媒体から前記制御手段のプログラム格納領域へ転送する手段と、
を備えたことを特徴とするデジタル電子カメラ。
【請求項３】
被写体を撮像して画像データを出力する撮像手段と、
画像データを符号化する画像データ符号化手段と、
符号化された画像データをカメラ本体に着脱可能に装着された記憶媒体に記録する手段と、
符号化された画像データを記憶媒体から読み出す手段と、
読み出された画像データを復号化する手段とを備えたデジタル電子カメラにおいて、
カメラ本体に着脱可能に設けられる特定のデータ通信・処理装置に対応した入出力制御体と、
前記入出力制御体を制御するためのプログラムを実行して前記入出力制御体の制御動作を行う制御手段と、
前記入出力制御体に設けられて、該入出力制御体を制御するためのプログラムを格納する記憶媒体と、
前記入出力制御体を制御するためのプログラムを、前記入出力制御体に設けられた前記記憶媒体から前記制御手段のプログラム格納領域へ転送する手段と、
を備えたことを特徴とするデジタル電子カメラ。
【請求項４】
被写体を撮像して画像データを出力する撮像手段と、
画像データを符号化する画像データ符号化手段と、
符号化された画像データをカメラ本体に着脱可能に装着された記憶媒体に記録する手段と、
音声を電気信号に変換する手段と、
電気信号に変換された音声データを符号化する音声データ符号化手段と、
符号化された音声データを記憶媒体に記録する手段と、
符号化された画像データを記憶媒体から読み出す手段と、
読み出された画像データを復号化する手段と、
符号化された音声データを記憶媒体から読み出す手段と、
読み出された音声データを復号化する手段とを備えたデジタル電子カメラにおいて、
カメラ本体に着脱可能に設けられる特定のデータ通信・処理装置に対応した入出力制御体と、
前記入出力制御体を制御するためのプログラムを実行して前記入出力制御体の制御動作を行う制御手段と、
前記入出力制御体に設けられて、該入出力制御体を制御するためのプログラムを格納する記憶媒体と、
前記入出力制御体を制御するためのプログラムを、前記入出力制御体に設けられた前記記憶媒体から前記制御手段のプログラム格納領域へ転送する手段と、
を備えたことを特徴とするデジタル電子カメラ。
【請求項５】
前記プログラム格納領域を書き換え可能な不揮発性メモリにより構成したことを特徴とする請求項１，２，３または４記載のデジタル電子カメラ。
【請求項６】
前記入出力制御体に設けられた記憶媒体を書き換え可能な不揮発性メモリにより構成したことを特徴とする請求項１，２，３または４記載のデジタル電子カメラ。
【請求項７】
前記入出力制御体を制御するためのプログラムを、ＤＯＳファイル形式で前記入出力制御体に設けられた記憶媒体に格納したことを特徴とする請求項１，２，３または４記載のデジタル電子カメラ。
【請求項８】
前記制御手段に、前記入出力制御体に記録された属性情報を判定する判定手段と、
判定された属性情報に基づいた入出力動作にさせるために前記入出力制御体に記録された有効動作環境から最適な動作環境を選択して設定する設定手段と、
設定された動作環境に係るプログラムを選択してカメラ内部の制御および前記入出力制御体の制御を行う手段と、
を備えたことを特徴とする請求項１，２，３または４記載のデジタル電子カメラ。
【発明の詳細な説明】
【０００１】
【産業上の利用分野】
本発明は、画像データ，音声データを記憶媒体に記録可能なデジタル電子カメラに係り、特に、そのインタフェースの制御に関するものである。
【０００２】
【従来の技術】
現在、情報機器に画像，音声を直接入力できる装置が望まれている。例えば、記憶媒体(メモリカード，ハードディスク，ＭＯ等)を介して画像データ，音声データを入力する装置は商品化されている。しかし、さらに連続的に画像データ等をリアル・タイムに情報機器に取り込むようにした装置が望まれている。情報機器側において画像データ等を入力する状況は種々あり、例えば、有線で高速に入力する場合、あるいは携帯性よく外部から無線にて画像データ等を送受信する場合等が考えられる。
【０００３】
画像データ等を出力する装置として、デジタル電子スチル・カメラがあるが、上述したように各種情報機器とのデータの授受を行うためには、カメラ側に複数のデータ・インプット・アウトプット機能を備える必要がある。しかし現在のデジタル電子スチル・カメラには、そのような機能を備えたものはない。
【０００４】
デジタル電子スチル・カメラにおけるデータの処理，通信に関する従来技術として、特開平４−980号公報には、デジタル電子スチル・カメラに、画像データが与えられるコネクタと、コネクタに与えられた画像データを外部の画像データ処理手段に出力する画像データ出力手段とを備えたインタフェース・カードを搭載することが示されている。また特開平５−167979号公報には、デジタル電子スチル・カメラにおいて、圧縮画像データを受信し、内蔵されている圧縮伸張手段を用いてデータ伸張して、送信可能にすることが示されている。さらに特開平３−268583号公報には、記録媒体をインタフェース部と着脱可能にすることにより、記憶部が有する、電子スチル・カメラの機能を制御するプログラム・データを外部から書き換え可能にし、種々の機能動作を実行できるようにすることが示されている。
【０００５】
【発明が解決しようとする課題】
前記従来のデジタル電子スチル・カメラのように、外部の情報機器とデータの授受を行う手段を備えたものは知られているが、例えば、ＬＡＮ(local area network)，モデム，ＳＣＳＩ(small computer system interface)，ＩＳＤＮ(integrated services digital network)等の複数のデータ通信・処理方式のすべてに対応できるものでなかった。
【０００６】
本発明の目的は、異なる種類のデータ通信・処理装置との画像データ等の授受を可能にしたデジタル電子カメラを提供することにある。
【０００７】
【課題を解決するための手段】
前記目的を達成するため、本発明は、被写体を撮像して画像データを出力する撮像手段と、画像データを符号化する画像データ符号化手段と、符号化された画像データをカメラ本体に着脱可能に装着された記憶媒体に記録する手段とを備えたデジタル電子カメラにおいて、カメラ本体に着脱可能に設けられる特定のデータ通信・処理装置に対応した入出力制御体と、前記入出力制御体を制御するためのプログラムを実行して前記入出力制御体の制御動作を行う制御手段と、前記入出力制御体に設けられて、該入出力制御体を制御するためのプログラムを格納する記憶媒体と、前記入出力制御体を制御するためのプログラムを、前記入出力制御体に設けられた前記記憶媒体から前記制御手段のプログラム格納領域へ転送する手段とを備えたものである。
【０００８】
また被写体を撮像して画像データを出力する撮像手段と、画像データを符号化する画像データ符号化手段と、符号化された画像データをカメラ本体に着脱可能に装着された記憶媒体に記録する手段と、音声を電気信号に変換する手段と、電気信号に変換された音声データを符号化する音声データ符号化手段と、符号化された音声データを記憶媒体に記録する手段とを備えたデジタル電子カメラにおいて、カメラ本体に着脱可能に設けられる特定のデータ通信・処理装置に対応した入出力制御体と、前記入出力制御体を制御するためのプログラムを実行して前記入出力制御体の制御動作を行う制御手段と、前記入出力制御体に設けられて、該入出力制御体を制御するためのプログラムを格納する記憶媒体と、前記入出力制御体を制御するためのプログラムを、前記入出力制御体に設けられた前記記憶媒体から前記制御手段のプログラム格納領域へ転送する手段とを備えたものである。
【０００９】
また被写体を撮像して画像データを出力する撮像手段と、画像データを符号化する画像データ符号化手段と、符号化された画像データをカメラ本体に着脱可能に装着された記憶媒体に記録する手段と、符号化された画像データを記憶媒体から読み出す手段と、読み出された画像データを復号化する手段とを備えたデジタル電子カメラにおいて、カメラ本体に着脱可能に設けられる特定のデータ通信・処理装置に対応した入出力制御体と、前記入出力制御体を制御するためのプログラムを実行して前記入出力制御体の制御動作を行う制御手段と、前記入出力制御体に設けられて、該入出力制御体を制御するためのプログラムを格納する記憶媒体と、前記入出力制御体を制御するためのプログラムを、前記入出力制御体に設けられた前記記憶媒体から前記制御手段のプログラム格納領域へ転送する手段とを備えたものである。
【００１０】
また被写体を撮像して画像データを出力する撮像手段と、画像データを符号化する画像データ符号化手段と、符号化された画像データをカメラ本体に着脱可能に装着された記憶媒体に記録する手段と、音声を電気信号に変換する手段と、電気信号に変換された音声データを符号化する音声データ符号化手段と、符号化された音声データを記憶媒体に記録する手段と、符号化された画像データを記憶媒体から読み出す手段と、読み出された画像データを復号化する手段と、符号化された音声データを記憶媒体から読み出す手段と、読み出された音声データを復号化する手段とを備えたデジタル電子カメラにおいて、カメラ本体に着脱可能に設けられる特定のデータ通信・処理装置に対応した入出力制御体と、前記入出力制御体を制御するためのプログラムを実行して前記入出力制御体の制御動作を行う制御手段と、前記入出力制御体に設けられて、該入出力制御体を制御するためのプログラムを格納する記憶媒体と、前記入出力制御体を制御するためのプログラムを、前記入出力制御体に設けられた前記記憶媒体から前記制御手段のプログラム格納領域へ転送する手段とを備えたものである。
【００１２】
また前記プログラム格納領域を書き換え可能な不揮発性メモリにより構成したものである。
【００１３】
また前記入出力制御体に設けられた記憶媒体を書き換え可能な不揮発性メモリにより構成したものである。
【００１４】
また前記入出力制御体を制御するためのプログラムを、ＤＯＳファイル形式で前記入出力制御体に設けられた記憶媒体に格納したものである。
【００１５】
また前記制御手段に、前記入出力制御体に記録された属性情報を判定する判定手段と、判定された属性情報に基づいた入出力動作にさせるために入出力制御体に記録された有効動作環境から最適な動作環境を選択して設定する設定手段と、設定された動作環境に係るプログラムを選択してカメラ内部の制御および入出力制御体の制御を行う手段とを備えたものである。
【００１８】
【作用】
前記構成の本発明に係るデジタル電子カメラでは、制御手段が、カメラ本体に挿入された入出力制御体からデータ通信・処理装置に対応したデータ入出力制御プログラムを受けてデータ・インプット／アウトプット制御をするので、各種情報機器に対する画像／音声入出力装置としての使用が可能になる。
【００１９】
前記データ入出力制御プログラムを格納した入出力制御体を制御するプログラムを、カメラ本体に着脱可能な記憶媒体に格納して、必要に応じてカメラ内部のプログラム格納領域へ転送可能にすることで、カメラ内部の制御手段等のメモリは、前記入出力制御体を制御するプログラムを格納しておく必要がなくなる分、メモリ容量の小さいものの使用が可能となる。
【００２０】
前記プログラム格納領域，記憶媒体，入出力制御体を書き換え可能な不揮発性メモリにより構成することで、必要に応じてプログラムの書き換え，記憶ができることになり、大容量のメモリがなくとも所定の制御，記録が可能になる。
【００２１】
前記入出力制御体を制御するためのプログラムを、種類の異なる入出力制御体ごとにＤＯＳファイル形式で記憶媒体に格納することで、この記憶媒体に画像データ等の記録が可能になる。
【００２２】
前記制御手段が入出力制御体の属性情報を判定し、判定された入出力制御体に最適な動作環境を選択して設定することで、各種入出力制御体およびカメラ内部で最適な制御が行われる。
【００２３】
カメラ本体に着脱可能な入出力制御体に記憶媒体の機能を持たせることで、入出力制御体と独立した記憶媒体が必要でなくなり、また入出力制御体と記憶媒体との間において、特別のデータ転送手段が不要となって、メモリ・マッピングが容易になる。
【００２４】
【実施例】
図１は本発明の一実施例の構成を示すブロック図であり、１はマイク、２a，２bは増幅器／フィルタ、３は音声データの符号化／復号化を行う音声データ符号化手段および音声データ復号化手段である音声データ圧縮／伸張回路、４はＡ／Ｄ(アナログ／デジタル)変換回路、５はＤ／Ａ(デジタル／アナログ)変換回路である。
【００２５】
６は撮影レンズ７，絞り８，撮像素子であるＣＣＤ(またはＭＯＳ型撮像素子)９，ＣＤＳ(相関２重サンプリング)回路10等からなるカメラ撮像部、11は各種画像処理がなされるデジタル信号処理回路、12は画像データの符号化／復号化を行う画像データ符号化手段および画像データ復号化手段である画像データ圧縮／伸張回路、13はＦＩＦＯ回路、14は、特定の種類のデータ通信・処理装置(ＬＡＮ，モデム，ＳＣＳＩ，ＩＳＤＮ等)に対応したデータ・入出力制御体であるＩ／Ｏ(インプット／アウトプット)カード15と、一般的なメモリカードの機能および前記Ｉ／Ｏカードの機能を備え、かつパーソナル・コンピュータ(ＰＣ)で読み書き可能な記憶媒体の一種であるＰＣカード16とのインタフェース(Ｉ／Ｆ)をとるカードＩ／Ｆ回路、17は前記Ｉ／Ｏカード15，ＰＣカード16等が接続されるカード・コネクタである。
【００２６】
18は前記カメラ撮像部６の機械系の駆動部(ドライバ)、19はカメラ撮像部６の電気系のタイミング信号発生部(ＳＧ)、20は照明手段であるストロボ、21は各種モードを設定するための操作部、22は設定されたモードを表示するモード表示部、23は前記各部をコントロールするＣＰＵである。
【００２７】
図１において、被写体画像は、撮影レンズ７から撮像素子であるＣＣＤ９に入力されて電気信号に変換される。撮像素子出力信号は、ＣＤＳ回路10を通してＡ／Ｄ変換回路４で最適なサンプリング周波数(例えば、ＮＴＳＣ信号のサブキャリア周波数の整数倍)にてデジタル信号に変換される。デジタル信号に変換されたＣＤＳ出力信号は、デジタル信号処理回路11にてガンマ補正，色分離等の通常のカメラ信号処理がなされ、Ｙ(輝度)，Ｃb，Ｃr(色差)信号が作成される。これらの信号は、画像データ圧縮／伸張回路12の画像圧縮部で符号化され、記憶素子であるＦＩＦＯ(またはＤＲＡＭ)回路13に一旦記録される。ＦＩＦＯ回路13に記録された圧縮画像データは、カードＩ／Ｆ回路14を通して読み出され、ＰＣカード16へ出力されて記録される。
【００２８】
一方、音声は、音声−電気信号変換素子であるマイク１にて電気信号に変換され、さらに増幅器／フィルタ２aで増幅され、必要帯域にカットオフするフィルタを通した後、Ａ／Ｄ変換回路４で必要帯域の２倍以上のサンプリング周波数でデジタル信号に変換される。この信号は、音声データ圧縮／伸張回路３の音声圧縮部で符号化され、前記ＦＩＦＯ回路13に記録される。ＦＩＦＯ回路13に記録された圧縮音声データは、カードＩ／Ｆ回路14を通して読み出され、ＰＣカード16へ出力されて記録される。
【００２９】
次に画像・音声復号化の動作について説明する。
【００３０】
ＰＣカード16から読み出された圧縮画像データは、カードＩ／Ｆ回路14を通して、ＦＩＦＯ回路13の画像ＦＩＦＯへ書き込まれる。ここに書き込まれた画像データは、画像データ圧縮／伸張回路12の画像伸張部にてリアルタイムに伸張され、デジタル信号処理回路11へ入力される。デジタル信号処理回路11へ入力されたＹ，Ｃb，Ｃr信号は、ＮＴＳＣ信号にデジタル・エンコードされ、Ｄ／Ａ変換されてビデオ信号として出力される。
【００３１】
一方、ＰＣカード16から読み出された圧縮音声データは、カードＩ／Ｆ回路14を通して、ＦＩＦＯ回路13の音声ＦＩＦＯへ書き込まれる。ここに書き込まれた音声データは、音声データ圧縮／伸張回路３の音声伸張部にてリアルタイムに伸張され、Ｄ／Ａ変換回路５にてアナログ信号に変換されて、オーディオ信号として出力される。
【００３２】
ＣＰＵ23は、操作部21からの指示、または図示しないがリモコン等の外部動作指示に従いカメラ内部の全動作を制御する。またカメラ内部状態等の表示は、モード表示部(例えば、ＬＣＤ，ＬＥＤ，ＥＬ等)22に表示される。
【００３３】
図２は図１のＣＰＵの内部構成を示すブロック図であり、この例はＣＰＵ23の基本機能を有するＣＰＵコア部30と、制御プログラムを格納する制御プログラム格納領域31と、ワーク用に使用するＲＡＭ領域32と、バスコントローラ，シリアル通信コントローラ，各割り込みを制御する割り込みコントローラ，アナログ信号モニタ用のＡ／Ｄ変換器等の周辺回路33とから構成される。特に制御プログラム格納領域31は、書き換え可能な不揮発性メモリ、例えばフラッシュメモリ，ＥＥＰＲＯＭ等が望ましく、特に、チップ面積を小さくすることが可能であり、かつ低価格であるのでフラッシュメモリを用いることが望ましい。
【００３４】
前記制御プログラム格納領域31は、書き換えデータ領域部34と、カメラ制御の基本機能とＰＣカード16からプログラムデータ，パラメータ等を読み出し、書き換えデータ領域部34へデータを書き込む機能とを含む基本ルーチン部35とから構成される。
【００３５】
次にプログラム書き換えの方法について説明する。まず、カメラ操作者は、新しいＩ／Ｏカード機能制御プログラムを含むＰＣカード16またはＩ／Ｏカード15をカード・コネクタ17に挿入する。次に必要なＩ／Ｏカード機能を選択し、ＣＰＵ23内部の書き換えデータ領域部34へ制御プログラムを転送して書き込みをする。これで、このカメラはＩ／Ｏ機能を内蔵したことになる。
【００３６】
図３は前記ＣＰＵ23によるＩ／Ｏカード(ＰＣカード16のＩ／Ｏカード機能にも同様の制御が行われる)15の制御に係るフローチャートであり、まずカメラにＩ／Ｏカード15が挿入されたときにＩ／Ｏカード15の種類(属性情報)を判別する(Ｓ1)。次に各カード(ＬＡＮ，モデム，ＳＣＳＩ，フラッシュメモリを例示してある)ごとに(Ｓ2)、Ｉ／Ｏのマッピング等を行い、有効動作環境から最適なハード的動作構成を設定する(Ｓ3)。次に、カード特有のレジスタ初期化処理を実施し、Ｉ／Ｏカード15の初期化を行う(Ｓ4)。
【００３７】
Ｉ／Ｏ機能実行時、ＣＰＵ23は、制御プログラムに従い各Ｉ／Ｏカードのプロトコル制御を実施し、画像データ，音声データ，ステータス情報，コマンド情報を送受信する。
【００３８】
図４は前記Ｉ／Ｏカードの一例の構成を示すブロック図であり、Ｉ／Ｏカード15は、カードコネクタ部40と、Ｉ／Ｏカード15の種類，動作条件等(属性情報)を記録したアトリビュートメモリ41と、カードコネクタ部40とＩ／Ｏコントローラとのインタフェースをとるインタフェース部42と、各Ｉ／Ｏ・プロトコルのコントローラ43と、外部機器とのコネクタであるＩ／Ｏコネクタ44とから構成される。また、この例では、このＩ／Ｏカード15を制御するカメラ側制御プログラムを格納したフラッシュメモリ45を内蔵している。ここに格納されたカメラ側制御プログラムは、Ｉ／Ｏカード15がカメラ側のカード・コネクタ17に挿入されたときにカメラ側に転送され、Ｉ／Ｏカード制御を実施するものである。
【００３９】
図５は前記ＰＣカードの内部ファイルの構成例を示すブロック図であり、ＰＣカード16は、ＰＣ側で読まれるためにＰＣ側のオペレーション・システムで読みやすいフォーマットで記録されている。一般的にはＤＯＳフォーマットが使用される。ＰＣカード16の内部には、複数の画像ファイル50a〜50cと、音声ファイル51a，51bと、Ｉ／Ｏ制御ファイル52a，52b等が格納されており、前記Ｉ／Ｏカード15を使用しないときには撮影した画像データファイル，音声データファイルが記憶されている。新たなＩ／Ｏカードをカメラ側で制御可能にするために、このＤＯＳファイル形式にて、それぞれのＩ／Ｏカード制御プログラムを提供し、カメラ内部の前記ＣＰＵ23における書き換えデータ領域部34に対する読み出し，書き込みをする。
【００４０】
次に、図３におけるフラッシュメモリカードの制御方法について述べる。フラッシュメモリカードは、Ｉ／Ｏカードの一種である。通常、ＳＲＡＭカード，ＲＯＭカードについては、カメラは共通フォーマットであるＤＯＳファイルを読み込むことが可能である。そこで新たなフラッシュメモリカードを使用する前にフラッシュカード制御プログラムをカメラ内部に設定することが必要になる。
【００４１】
なお、本実施例では、画像データを符号化する手段，音声データを符号化する手段，両データの復号化手段，記憶媒体に記録されている画像データ等を読み出して復号化させる手段が備えられているが、これらの手段のうち少なくとも１つを備えたデジタル電子スチル・カメラに本発明は適用される。
【００４２】
【発明の効果】
以上説明したように、本発明のデジタル電子カメラは、請求項１〜４記載の構成によれば、入出力制御体により制御手段のデータ入出力制御プログラムを変えることができ、各種の情報機器に対する画像／音声入力装置として使用でき、しかも、入出力制御体と記憶媒体との機能を同一物に備えることで、保守，管理が簡単で、プログラムの授受も容易にできる。さらに、前記入出力制御体を制御するプログラムを、カメラ内部のメモリでなくカメラ本体に着脱可能な前記入出力制御体に設けられた記憶媒体に格納して、必要に応じてカメラ内部のメモリへ転送できるので、カメラ内部のメモリは少なくてよく、カメラを安価で小型なものにでき、またカメラ発売後に提供された入出力方式にもカメラは対応可能となり、カメラの汎用性が高まる。
【００４４】
請求項５，６記載の発明によれば、前記制御手段のプログラム格納領域，記憶媒体，入出力制御体を書き換え可能な不揮発性メモリにより構成することで、大容量のメモリを必要とせずに所望の制御，記録状態にすることができ、コストダウンと小型化を図ることができる。
【００４５】
請求項７記載の発明によれば、前記入出力制御体を制御するためのプログラムを、種類の異なる入出力制御体ごとにＤＯＳファイル形式で記憶媒体に格納することで、この記憶媒体への画像データ等の記録ができる。
【００４６】
請求項８記載の発明によれば、入出力制御体の属性を自動的に判定して最適な入出力動作にさせることができるので、常に良好なカメラ制御，データ制御等が行える。
【図面の簡単な説明】
【図１】本発明のデジタル電子スチル・カメラの一実施例の構成を示すブロック図である。
【図２】図１のＣＰＵの内部構成を示すブロック図である。
【図３】ＣＰＵによるＩ／Ｏカードの制御に係るフローチャートである。
【図４】Ｉ／Ｏカードの一例の構成を示すブロック図である。
【図５】ＰＣカードの内部ファイルの構成例を示すブロック図である。
【符号の説明】
１…マイク、  ３…音声データ圧縮／伸張回路、  ６…カメラ撮像部、  12…画像データ圧縮／伸張回路、  14…カードＩ／Ｆ回路、  15…Ｉ／Ｏカード(入出力制御体)、  16…ＰＣカード(記憶媒体)、  23…ＣＰＵ(制御手段)、  30…ＣＰＵコア部、  31…制御プログラム格納領域、  32…ＲＡＭ領域、  33…周辺回路、  34…書き換えデータ領域部、  35…基本ルーチン部、  41…アトリビュートメモリ、  43…各Ｉ／Ｏ・プロトコル・コントローラ、  45…フラッシュメモリ、  50a，50b，50c…画像ファイル、  51a，51b…音声ファイル、  52a，52b…Ｉ／Ｏ制御ファイル。
【図１】
0003893480.tif 000002
【図２】
0003893480.tif 000003
【図３】
0003893480.tif 000004
【図４】
0003893480.tif 000005
【図５】
0003893480.tif 000006